(57)【特許請求の範囲】
【請求項１】
色が可変な端末であって、前記端末は、
ディスプレイスクリーンと、
ハウジングであり、前記ハウジングの一部または全部が透明であるもの、
回路基板であり、前記回路基板が前記ハウジングの内部に配置されており、かつ、前記回路基板が駆動回路および中央処理装置を含むもの、
液晶調光フィルムであり、前記液晶調光フィルムが前記ハウジングの内部に配置されており、かつ、前記ハウジングの透明領域をカバーするもの、および、
コーティングであり、前記コーティングが前記ハウジングの内部に配置され、かつ、前記コーティングと前記ハウジングの透明領域が、前記液晶調光フィルムの両側においてそれぞれに配置されているもの、
を含み、
前記駆動回路は、前記ディスプレイスクリーンはオフであることを前記中央処理装置が検出するとき、前記液晶調光フィルムに対して大きさが既定の閾値より小さいコントロール電圧を適用するように構成されており、
前記駆動回路は、前記ディスプレイスクリーンはオンであることを前記中央処理装置が検出するとき、前記液晶調光フィルムに対して大きさが前記既定の閾値以上であるコントロール電圧を適用するように構成されており、
前記コントロール電圧の大きさが前記既定の閾値以上であるとき、前記液晶調光フィルムは透明状態にあり、もしくは、
前記コントロール電圧の大きさが前記既定の閾値より小さいとき、前記液晶調光フィルムは不透明状態にあり、かつ、
前記不透明状態にある前記液晶調光フィルムの色は、前記コーティングの色とは異なっている、
端末。
【請求項２】
前記ハウジングは、前記端末のリアハウジングを含む、
請求項１に記載の端末。
【請求項３】
前記ハウジングは、前記端末の本体の４つの側面を取り囲んでいるハウジングを含む、
請求項１に記載の端末。
【請求項４】
前記不透明状態にある前記液晶調光フィルムの色は、白色である、
請求項１乃至３いずれか一項に記載の端末。
【請求項５】
前記端末は、携帯電話である、
請求項１乃至４いずれか一項に記載の端末。
【発明の詳細な説明】
【技術分野】
【０００１】
本発明は、通信技術に関し、特定的には、色が可変な端末に関する。
【背景技術】
【０００２】
携帯電話やｉＰａｄといった端末の現在のデザインに関しては、端末の製品品質について特定の要求を有していることに加えて、いくらかのユーザは端末の色のデザインに対してますます多く注目している。従って、端末の製品品質を改善することに加えて、端末製造業者は、端末の色のデザインについて、ますます重点を置いている。
【０００３】
白色の携帯電話が一つの例として使用される。ディスプレイスクリーン、前面（ｆｒｏｎｔ−ｆａｃｉｎｇ）カメラ、および光検出デバイスの外観は黒色であり、そして、他のディスプレイ領域は白色である。携帯電話がスタンバイまたは電源オフのとき、携帯電話全体の本体の外観も、また黒色と白色である。
【０００４】
しかしながら、現在の端末の外観デザインは、いまだに、いくらかのユーザの端末外観の要求を満たすことができない。
【発明の概要】
【０００５】
本発明の実施例は、いくらかユーザの端末外観の要求が従来技術においては満たされないという問題を解決するために、色が可変な端末を提供する。
【０００６】
第１の態様に従って、本発明に係る一つの実施例は、色が可変な端末を提供する。ここで、端末は、タッチスクリーン、ディスプレイスクリーン、回路基板、および、液晶調光フィルム、を含む。タッチスクリーンは、ディスプレイスクリーンの上に配置されており、回路基板は、ディスプレイスクリーンの下に配置されており、かつ、回路基板は、駆動回路を含む。そして、液晶調光フィルムは、タッチスクリーンの上に配置されている。ここで、駆動回路は、液晶調光フィルムに対してコントロール電圧を適用するように構成されており、コントロール電圧の大きさが既定の閾値以上である場合、液晶調光フィルムは透明状態にある。もしくは、コントロール電圧の大きさが既定の閾値より小さい場合、液晶調光フィルムは不透明状態にある。そして、不透明状態における液晶調光フィルムの色は、ディスプレイスクリーンの色とは異なっている。
【０００７】
第１の態様について、第１の態様に係る第１の可能な実施方式において、記タッチスクリーンは、ガラスカバーとタッチ機能レイヤを含む。そして、液晶調光フィルムがタッチスクリーンの上に配置されているということは、特定的に、液晶調光フィルムがガラスカバーの上側表面の上に配置されていること、または、液晶調光フィルムがタッチ機能レイヤの下側表面の上に配置されていること、もしくは、液晶調光フィルムが、ガラスカバーとタッチ機能レイヤとの間に配置されていることである。
【０００８】
第１の態様または第１の態様に係る第１の可能な実装方式について、第１の態様に係る第２の可能な実施方式において、駆動回路は第１駆動回路を含む。そして、液晶調光フィルムは第１領域を含み、ここで、第１領域はディスプレイスクリーンと一致している。そして、第１駆動回路は、第１領域に対してコントロール電圧を適用するように構成されている。回路基板は、さらに、中央処理装置を含み、ここで、中央処理装置は、ディスプレイスクリーンがオフであるか否かを検知するように構成されている。中央処理装置は、さらに、ディスプレイスクリーンがオフであることが検知されたときに、第１領域に対して、大きさが既定の閾値よりも小さいコントロール電圧を適用するために、第１駆動回路をコントロールするように構成されている。ここで、大きさが既定の閾値よりも小さいコントロール電圧は第１領域を不透明状態にすることができる。かつ、中央処理装置は、さらに、ディスプレイスクリーンがオンであることが検知されたときに、第１領域に対して、大きさが既定の閾値以上であるコントロール電圧を適用するために、第１駆動回路をコントロールするように構成されている。ここで、大きさが既定の閾値以上であるコントロール電圧は第１領域を透明状態にすることができる。
【０００９】
第１の態様に係る第２の可能な実装方式について、第１の態様に係る第３の可能な実施方式において、端末は、さらに、前面カメラを含み、ここで、前面カメラは回路基板の上に配置されている。駆動回路は、さらに、第２駆動回路を含み、かつ、液晶調光フィルムは、さらに、第２領域を含み、ここで、第２領域は前面カメラと一致しており、かつ、第２駆動回路は、第２領域に対してコントロール電圧を適用するように構成されている。中央処理装置は、さらに、ディスプレイスクリーンがオンであることが検知された後で、前面カメラを電源オンにするために使用されるインストラクションを受け取り、かつ、第２領域に対して、大きさが既定の閾値以上であるコントロール電圧を適用するために、第２駆動回路をコントロールするように構成されている。ここで、大きさが既定の閾値以上であるコントロール電圧は、第２領域を透明状態にすることができる。かつ、中央処理装置は、さらに、前面カメラを電源オンにするために使用されるインストラクションが検知されないとき、第２領域に対して、大きさが既定の閾値より小さいコントロール電圧を適用するために、第２駆動回路をコントロールするように構成されている。ここで、大きさが既定の閾値より小さいコントロール電圧は、第２領域を不透明状態にすることができる。
【００１０】
第１の態様に係る第２の可能な実装方式または第１の態様に係る第３の可能な実装方式について、第１の態様に係る第４の可能な実施方式において、端末は、さらに、光センサを含み、ここで、光センサは回路基板の上に配置されている。駆動回路は、さらに、第３駆動回路を含み、かつ、液晶調光フィルムは、さらに、第３領域を含み、ここで、第３領域は光センサと一致しており、かつ、第３駆動回路は、第３領域に対してコントロール電圧を適用するように構成されている。中央処理装置は、さらに、ディスプレイスクリーンがオンであることが検知された後で、光センサを電源オンにするために使用されるインストラクションを受け取り、かつ、第３領域に対して、大きさが既定の閾値以上であるコントロール電圧を適用するために、第３駆動回路をコントロールするように構成されている。ここで、大きさが既定の閾値以上であるコントロール電圧は、第３領域を透明状態にすることができる。かつ、中央処理装置は、さらに、光センサを電源オンにするために使用されるインストラクションが検知されないとき、第３領域に対して、大きさが既定の閾値より小さいコントロール電圧を適用するために、第３駆動回路をコントロールするように構成されている。ここで、大きさが既定の閾値より小さいコントロール電圧は、第３領域を不透明状態にすることができる。
【００１１】
第１の態様または第１の態様に係る第１の可能な実装方式について、第１の態様に係る第５の可能な実施方式において、端末は、さらに、ユーザ入力を受け取るように構成され、ディスプレイスクリーンを電源オンまたは電源オフするために使用されるコントロール信号を生成する、スイッチを含む。そして、回路基板は、さらに、スイッチによって生成されたコントロール信号に応じて、ディスプレイスクリーンを電源オンまたは電源オフするように構成されている第４駆動回路を含む。ここで、第４駆動回路は、スイッチに対して電気的に接続されており、スイッチが、ディスプレイスクリーンを電源オンするようにコントロールするために使用されるコントロール信号を生成する場合に、第４駆動回路は、液晶調光フィルムに対して、大きさが既定の閾値以上であるコントロール電圧を適用する。かつ、スイッチが、ディスプレイスクリーンを電源オフするようにコントロールするために使用されるコントロール信号を生成する場合に、第４駆動回路は、液晶調光フィルムに対して、大きさが既定の閾値より小さいコントロール電圧を適用する。
【００１２】
第２の態様に従って、本発明に係る一つの実施例は、色が可変な端末を提供する。ここで、端末は、ハウジングであってハウジングの一部または全部が透明であるもの、回路基板であって回路基板がハウジングの内部に配置されており、かつ、回路基板が駆動回路を含むもの、液晶調光フィルムであって液晶調光フィルムがハウジングの内部に配置されており、かつ、ハウジングの透明領域をカバーするもの、および、コーティングであってコーティングがハウジングの内部に配置され、かつ、コーティングとハウジングの透明領域が液晶調光フィルムの両側においてそれぞれに配置されているもの、を含む。ここで、駆動回路は、液晶調光フィルムに対してコントロール電圧を適用するように構成されており、コントロール電圧の大きさが既定の閾値以上であるとき、液晶調光フィルムは透明状態にある。もしくは、コントロール電圧の大きさが既定の閾値より小さいとき、液晶調光フィルムは不透明状態にある。そして、不透明状態にある液晶調光フィルムの色は、コーティングの色とは異なっている。
【００１３】
第２の態様について、第２の態様に係る第１の可能な実施方式において、端末は、さらに、ディスプレイスクリーンを含み、かつ、回路基板は、さらに、中央処理装置を含む。
【００１４】
第２の態様に係る第１の可能な実装方式について、第２の態様に係る第２の可能な実施方式において、中央処理装置が、ディスプレイスクリーンがオフであることを検知するとき、中央処理装置は、液晶調光フィルムに対して、大きさが既定の閾値よりも小さいコントロール電圧を適用するように駆動回路をコントロールする。ここで、大きさが既定の閾値よりも小さいコントロール電圧は、液晶調光フィルムを不透明状態にすることができる。
【００１５】
第２の態様に係る第１の可能な実装方式または第２の態様に係る第２の可能な実装方式について、第２の態様に係る第３の可能な実施方式において、中央処理装置が、ディスプレイスクリーンがオンであることを検知するとき、中央処理装置は、液晶調光フィルムに対して、大きさが既定の閾値以上であるコントロール電圧を適用するように駆動回路をコントロールする。ここで、大きさが既定の閾値以上であるコントロール電圧は、液晶調光フィルムを透明状態にすることができる。
【００１６】
第２の態様に係る第１の可能な実装方式について、第２の態様に係る第４の可能な実施方式において、中央処理装置は、さらに、ユーザの入力インストラクションを受け取り、かつ、受け取った入力インストラクションに従って、液晶調光フィルムに対してコントロール電圧を適用するために駆動回路をコントロールするように構成されている。
【００１７】
本発明に係る実施例において提供される色が可変な端末に従って、タッチスクリーンと一致している液晶調光フィルムがタッチスクリーンの上に配置されており、駆動回路は液晶調光フィルムに対してコントロール電圧を適用する。そして、適用されたコントロール電圧の大きさが既定の閾値以上である場合、液晶調光フィルムは透明状態にあり、もしくは、適用されたコントロール電圧の大きさが既定の閾値より小さい場合、液晶調光フィルムは不透明状態にある。従って、端末のディスプレイスクリーンが動作していないとき、ディスプレイスクリーンの外観色は、従来技術において、動作していないディスプレイスクリーンの色とは異なっており、それによって、ユーザの端末外観の要求を満たしており、かつ、ユーザの視覚体験を改善している。
【図面の簡単な説明】
【００１８】
本発明の実施例または先行技術の技術的ソリューションをより明確に説明するために、実施例または従来技術を説明するために必要とされる添付の図面を、以下に簡単に説明する。明らかに、以下の説明における添付の図面は、本発明のいくつかの実施例を示しており、そして、当業者であれば、創造的な努力なしに、これらの添付の図面から、さらに他の図面を引き出すことができるだろう。
【図１】図１は、本発明に従った、白色の携帯電話の概略構成図である。
【図２】図２は、本発明に従った、色が可変な端末の概略構成図である。
【図３】図３は、本発明に従った、液晶調光フィルムの概略構成図である。
【図４】図４は、本発明の別の実施例に従った、色が可変な端末の概略構成図である。
【図５】図５は、本発明の別の実施例に従った、色が可変な端末の概略構成図である。
【図６】図６は、本発明の別の実施例に従った、色が可変な端末の概略構成図である。
【図７】図７は、本発明の別の実施例に従った、色が可変な端末の概略構成図である。
【図８】図８は、本発明に従った、回路基板の概略構成図である。
【図９】図９は、本発明に従った、液晶調光フィルムの別の概略構成図である。
【図１０】図１０は、本発明に従った、色が可変な端末の白色外観効果（ｗｈｉｔｅ  ａｐｐｅａｒｅｎｃｅ  ｅｆｆｅｃｔ）図である。
【図１１】図１１は、本発明の別の実施例に従った、色が可変な端末の概略構成図である。
【図１２】図１２は、本発明に従った、色が可変な端末の別の白色外観効果図である。
【図１３】図１３は、本発明の別の実施例に従った、色が可変な端末の概略構成図である。
【図１４】図１４は、本発明に従った、色が可変な端末の別の白色外観効果図である。
【図１５】図１５は、本発明の別の実施例に従った、色が可変な端末の概略構成図である。
【図１６】図１６は、本発明の別の実施例に従った、色が可変な端末の概略構成図である。
【図１７】図１７は、本発明の別の実施例に従った、色が可変な端末の概略構成図である。
【００１９】
添付の図面における参照番号の説明
１１：タッチスクリーン、１２：ディスプレイスクリーン、１３：回路基板、
１４：液晶調光フィルム、１５：駆動回路、１１１：ガラスカバー、
１１２：タッチ機能レイヤ、１５１：第１駆動回路、
１５２：第２駆動回路、１５３：第３駆動回路、１４１：第１領域、
１４２：第２領域、１４３：第３領域、１６：中央処理装置、
１７：前面カメラ、１８：光センサ、１９：スイッチ、
１５４：第４駆動回路、２１：第１透明膜、
２２：第２透明膜、２３：ＩＴＯ膜、２４：液晶レイヤ、
２５：第３透明膜レイヤ、２６：第４透明膜、
３０：ハウジング、３１：コーティング
【発明を実施するための形態】
【００２０】
本発明の実施例の目的、技術的ソリューション、および利点をより明確にするために、本発明の実施例において、添付の図面を参照して、本発明の実施例における技術的ソリューションを以下に明瞭かつ完全に記載する。明らかに、記載された実施例は、本発明の実施例のいくらかではあるが、全てではない。創作努力なしに本発明の実施例に基づいて当業者によって得られる他の全ての実施例は、本発明の保護の範囲内に入るものである。
【００２１】
本発明の実施例が関連する端末、すなわちユーザ機器は、無線端末であっても有線端末であってもよい。無線端末は、音声またはデータのうちの少なくとも一つに対する接続性をユーザに提供するデバイス、無線接続機能を有するハンドヘルドデバイス、または、無線モデムに接続されている別の処理デバイス、であってよい。無線端末は、モバイル端末であってよく、例えば、無線アクセスネットワークを用いて音声またはデータのうち少なくとも一つを交換する、ポータブル型、ポケット型、ハンドヘルド型、コンピュータ内蔵型、または、車載モバイル装置であってよい。上記の端末は、携帯電話、または、ユーザのポータブル型コンピュータ、等であってよい。本発明の実施例は、端末のハウジングの色に限定するものではない。好ましくは、端末のハウジングの一部分の色は白色であり、そして、他の部分は別の色であってよい。例えば、携帯電話のフロント（ｆｒｏｎｔ）ハウジング領域の色は白色であり、端末のリア（ｒｅａｒ）ハウジング領域の色、および、フロントハウジングとリアハウジングを接続する部分の側面の色は、白色であってよく、また、別の色であってもよい。図１に示される白色の携帯電話について参照がなされ得る。このアプリケーションにおける技術的ソリューションの説明を容易にするために、本発明に係る全ての以降の実施例においては、白色の携帯電話が一つの例として使用されている。
【００２２】
既存の端末装置（例えば、図１に示される白色の携帯電話）がスタンバイ（ｓｔａｎｄｂｙ）である場合、ディスプレイスクリーン、前面カメラ、光検出デバイスは全て黒色であり、そして、フロントハウジングの別のディスプレイ領域は白色である。結果として、色に関する高い要求を有するいくらかのユーザにとって、視覚体験が低下してしまう。
【００２３】
図２は、本発明に従った、色が可変な端末の概略構成図である。端末は、タッチスクリーン１１、ディスプレイスクリーン１２、回路基板１３、および、液晶調光フィルム１４、を含んでいる。タッチスクリーン１１は、ディスプレイスクリーン１２の上に位置している。回路基板１３は、ディスプレイスクリーン１２の下に配置され、回路基板１３は、駆動回路１５を含んでいる。液晶調光フィルム１４は、タッチスクリーン１１の上に配置されている。駆動回路１５は、液晶調光フィルム１４に対してコントロール電圧を適用するように構成されており、コントロール電圧の大きさが既定の閾値以上であるとき、液晶調光フィルム１４は透明状態であり、もしくは、コントロール電圧の大きさが既定の閾値より小さいときに、液晶調光フィルム１４は不透明状態である。そして、不透明状態における液晶調光フィルム１４の色は、ディスプレイスクリーン１２の色とは異なるものである。
【００２４】
特定的には、図２に示されるように、タッチスクリーン１１はディスプレイスクリーン１２の上に位置し、そして、回路基板１３がディスプレイスクリーン１２の下に配置されている。ここにおいて、用語「上（”ａｂｏｖｅ”）」と「下（”ｂｅｌｏｗ”）」は、図２に示される座標系に従って定義されてよい。ｘ軸におけるタッチスクリーン１１の座標値は、ｘ軸上のディスプレイスクリーン１２の座標値より小さく、タッチスクリーン１１がディスプレイスクリーン１２の上に配置されていることを示している。ｘ軸における回路基板１３の座標値は、ｘ軸上のディスプレイスクリーン１２の座標値よりも大きく、回路基板１３がディスプレイスクリーン１２の下に配置されていることを示している。加えて、本発明において含まれるコンセプト「上側（”ｕｐｐｅｒ”）」と「下側（”ｌｏｗｅｒ”）」は、図２に示される座標系に従って定義されてよい。
【００２５】
本発明の実施例において、液晶調光フィルム１４は、タッチスクリーン１１の上に配置されている。図２においては、液晶調光フィルム１４をより明確に表示するように、液晶調光フィルム１４が別の層として示されているが、本発明の実施例においては単に一つの例として使用されていることに留意する。本発明に係るこの実施例では、液晶調光フィルム１４がタッチスクリーン１１と一致（ｍａｔｃｈ）するという条件で、液晶調光フィルム１４の位置は、図２に示される位置に限定されるものではない。液晶調光フィルム１４は、第１透明膜（膜（”Ｆｉｌｍ”））２１と第２膜２２を含んでよく、インジウム錫酸化物（Ｉｎｄｉｕｍ  Ｔｉｎ  Ｏｘｉｄｅ、略してＩＴＯ）膜のレイヤが、第１膜２１と第２膜２２に係る２つの対向面の上にスパッタリングされ（ｓｐｕｔｔｅｒｅｄ）、そして、液晶レイヤ２４を構成するように、形成されたＩＴＯ膜に係る２つのレイヤの間に液晶材料が充填される。全体として、５つのレイヤが液晶調光フィルム１４を構成している。液晶調光フィルム１４の構造については、図３を参照することができる。液晶調光フィルム１４は、タッチスクリーン１１と一体化されてよく、または、タッチスクリーン１１とは別体であり、最終的にタッチスクリーン１１に対して接合されていてもよい。図３は、液晶調光フィルム１４とタッチスクリーン１１との間の位置関係の一つの例を示しているだけであることに留意する。
【００２６】
上記の回路基板１３上の駆動回路１５は、液晶調光フィルム１４に対してコントロール電圧を適用するために使用される。任意的に、駆動回路１５は、端末の実際の動作状態に応じて、液晶調光フィルム１４に対して適用されるべきコントロール電圧の値を決定してよい。例えば、駆動回路１５は、端末の内部で生成されるスイッチング信号に応じて、液晶調光フィルム１４に対して適用されるべきコントロール電圧の値を決定してよく、もしくは、端末のプロセッサからのインストラクションに応じて、液晶調光フィルム１４に対して適用されるべきコントロール電圧の値を決定してよい。任意的に、コントロール電圧は、直流電圧であってよく、または、交流電圧であってよい。
【００２７】
任意的に、端末のディスプレイスクリーン１２が動作しているとき、駆動回路１５は、液晶調光フィルム１４に対して、大きさが既定の閾値以上であるコントロール電圧を適用する（実際には、駆動回路１５は、液晶調光フィルム１４に係るＩＴＯ膜２３に係る２つのレイヤに対してコントロール電圧を適用する）。図３において示され、かつ、液晶調光フィルム１４である構造に応じて、ＩＴＯ膜２３に係る上側および下側レイヤに適用されるコントロール電圧の大きさが既定の閾値以上であるとき、液晶調光フィルム１４の液晶レイヤ２４における液晶分子は、光が透過し得るように、コントロール電圧の電界方向に沿って規則的に配置される。従って、液晶調光フィルム１４は透明状態になり、この場合、端末の外観は、使用中の既存の端末の外観と同じである。端末のディスプレイスクリーン１２が動作していないとき、駆動回路１５は、液晶調光フィルム１４に対して、既定の閾値より小さいコントロール電圧を適用する。図３において示され、かつ、液晶調光フィルム１４である構造に応じて、ＩＴＯ膜２３に係る上側および下側レイヤに適用されるコントロール電圧の大きさが既定の閾値より小さいとき、液晶調光フィルム１４の液晶レイヤ２４における液晶分子は、光が不規則に配置されている液晶分子によって散乱されるように、不規則に配置される。従って、液晶調光フィルム１４は不透明状態であり、そして、不透明状態における液晶調光フィルム１４の色はディスプレイスクリーン１２の色とは異なっている。任意的に、不透明状態における液晶調光フィルム１４の外観色は白色であってよい。従って、図１示される白色の携帯電話が一つの例として示される場合、液晶調光フィルム１４が不透明状態にあるとき、タッチスクリーン１１の外観色は白色である。タッチスクリーン１１はディスプレイスクリーン１２の上に配置されているので、ユーザの視点からは、ディスプレイスクリーン１２の外観色は白色である。すなわち、白色の携帯電話のディスプレイスクリーン１２が動作していないときには、端末のフロントハウジング全体の外観色は白色であり、これにより、ユーザの端末外観の要件を満たし、かつ、ユーザの視覚体験を改善している。本発明に係るこの実施例は、端末のハウジングの色に制限を課すものではないことに留意する。端末のハウジングが別の色である場合、本発明に係るこの実施例において提供される端末のディスプレイスクリーン１２が動作していないとき、ディスプレイスクリーン１２の外観色は、従来技術において、動作していないディスプレイスクリーン１２の外観色とは異なっており、それによっても、また、ユーザの視覚体験を改善している。
【００２８】
本発明に係るこの実施例において提供される色が可変の端末に応じて、タッチスクリーンと一致している（ｍａｔｃｈｉｎｇ）液晶調光フィルムがタッチスクリーン上に配置され、駆動回路は液晶調光フィルムに対してコントロール電圧を適用し、そして、適用されたコントロール電圧の大きさが既定の閾値以上であるときに、液晶調光フィルムは透明状態にある。もしくは、適用されたコントロール電圧の大きさが既定の閾値より小さいときに、液晶調光フィルムは不透明状態にある。従って、端末のディスプレイスクリーンが動作していない場合に、ディスプレイスクリーンの外観色は、従来技術において、動作していないディスプレイスクリーンの外観色とは異なっており、それによって、ユーザの端末外観の要求を満たしており、かつ、ユーザの視覚体験を改善している。
【００２９】
さらに、上記のタッチスクリーン１１は、ガラスカバー１１１とタッチ機能レイヤ１１２を含んでよい。
【００３０】
任意的に、上記の液晶調光フィルム１４は、ガラスカバー１１１の上面の上に配置されてよい。つまり、液晶調光フィルム１４は、ガラスカバー１１１の上面において、別の層としてコーティングまたはスパッタリングされている。詳細については、図４に示される実施例における端末の構造を参照することができる。
【００３１】
任意的に、上記の液晶調光フィルム１４は、また、タッチ機能レイヤ１１２の下面において配置されてよい。つまり、液晶調光フィルム１４は、タッチ機能レイヤ１１２の下面において、別の層としてコーティングまたはスパッタリングされている。詳細については、図５に示される実施例における端末の構造を参照することができる。
【００３２】
任意的に、液晶調光フィルム１４は、また、ガラスカバー１１１とタッチ機能レイヤ１１２との間に配置されてもよく、任意的に、液晶調光フィルム１４は、ガラスカバー１１１とタッチ機能レイヤ１１２との間に、別のレイヤとして配置されてよく、そして、詳細については、図６に示される実施例における端末の構造を参照することができる。かつ、液晶調光フィルム１４は、また、タッチスクリーン１１と一体化されてもよい。後者の場合、タッチスクリーン１１のタッチ機能レイヤ１１２は、上側および下側タッチ検知レイヤを含み、ここで上側タッチ検知レイヤは、第３膜２５を含んでいる（第３膜２５の材質は、ガラス、プラスチック、または別の材質であってよい）、そして、ＩＴＯ膜２３のレイヤが、第３膜２５の下側表面の上にコーティングされている。そして、下側タッチ検知レイヤは、第４膜２６を含み（第４膜２６の材質は、ガラス、プラスチック、または別の材料であってよい）、かつ、ＩＴＯ膜２３のレイヤが、第４膜２６の上側表面の上にコーティングされている。従って、ＩＴＯ膜２３に係る２つのレイヤの間には液晶材料だけが充填されることを要し、そして、次に、液晶調光フィルム１４とタッチスクリーン１１が一体化される。つまり、上記の第３膜２５は、液晶調光フィルム１４の第１膜２１と同等であり、第４膜２６は、液晶調光フィルム１４の第２膜２２と同等であり、そして、ＩＴＯ膜２３に係る２つのレイヤは、液晶調光フィルム１４のＩＴＯ膜２３に係る２つのレイヤと同等である。つまり、液晶調光フィルム１４は、膜およびタッチ検知レイヤであるＩＴＯ膜２３を共有している。詳細については、図７に示される一つの実施例における端末の構造を参照することができる。
【００３３】
さらにまた、上記の駆動回路１５は、第１駆動回路１５１を含み、かつ、上記の液晶調光フィルム１４は、第１領域１４１を含み、ここで、第１領域１４１はディスプレイスクリーン１２と一致しており、そして、第１駆動回路１５１は、第１領域１４１に対してコントロール電圧を適用するように構成されている。上記の回路基板１３は、さらに、中央処理装置１６を含み、ここで、中央処理装置１６は、ディスプレイスクリーン１２がオフであるか否かを検知するように構成されている。中央処理装置１６は、さらに、ディスプレイスクリーン１２がオフであることが検知されたときに、第１領域１４１に対して、大きさが既定の閾値よりも小さいコントロール電圧を適用するために、第１駆動回路１５１をコントロールするように構成されている。ここで、大きさが既定の閾値よりも小さいコントロール電圧は、第１領域１４１を不透明状態にすることができる。そして、中央処理装置１６は、さらに、ディスプレイスクリーン１２がオンであることが検知されたときに、第１領域１４１に対して、大きさが既定の閾値以上であるコントロール電圧を適用するために、第１駆動回路１５１をコントロールするように構成されている。ここで、大きさが既定の閾値以上であるコントロール電圧は、第１領域１４１を透明状態にすることができる。
【００３４】
特定的に、上記の駆動回路１５は、第１駆動回路１５１を含み、そして、図８に示される回路基板１３の構成を参照することができる。上記の液晶調光フィルム１４は、第１領域１４１を含んでおり、ここで、第１領域１４１は、ディスプレイスクリーン１２と一致している。詳細については、図９に示される液晶調光フィルム１４の構造を参照することができる。第１領域は、エッチングプロセスを使用することによって実現されてよい。つまり、ディスプレイスクリーン１２と一致しているＩＴＯパターンが、上記の液晶調光フィルム１４の上のＩＴＯ膜２３に係る２つのレイヤの上にエッチングされており、そして、ＩＴＯパターンは、第１領域１４１である。膜の内側表面におけるＩＴＯ膜２３の上で、第１領域１４１を除いて、別の部分の上にはインク層（ｌａｙｅｒ  ｏｆ  ｉｎｋ）がコーティングされている。図１に示される白色の携帯電話について、インクの色は白色である。
【００３５】
ディスプレイスクリーン１２がオンであることを検知すると、中央処理装置１６は、第１領域１４１に対して、大きさが既定の閾値以上であるコントロール電圧を適用するように上記の第１駆動回路１５１をコントロールする。ここで、大きさが既定の閾値以上であるコントロール電圧は、第１領域１４１を透明状態にすることができる。この場合、端末の外観は、使用中の既存の端末の外観と同じである。
【００３６】
ディスプレイスクリーン１２がオフであることを検知すると、中央処理装置１６は、第１領域１４１に対して、大きさが既定の閾値より小さいコントロール電圧を適用するように上記の第１駆動回路１５１をコントロールする。ここで、大きさが既定の閾値より小さいコントロール電圧は、第１領域１４１を不透明状態にすることができ、不透明状態における第１領域１４１の色は、ディスプレイスクリーン１２の色とは異なっている。そして、任意的に、第１領域１４１が不透明状態にあるとき、第１領域１４１の外観色は白色であってよい。従って、図１に示される白色の携帯電話が一つの例として使用される場合、第１領域１４１が不透明状態にあるときに、第１領域１４１の外観色は白色である。タッチスクリーン１１がディスプレイスクリーン１２の上に配置されているので、ユーザの視点から見ると、ディスプレイスクリーン１２の外観も、また、白色である。つまり、白色の携帯電話のディスプレイスクリーン１２がオフであるときには、端末の前面ハウジング全体の外観色は白色である（詳細については、図１０に示される端末に係る白い外観の効果図（ｅｆｆｅｃｔ  ｄｉａｇｒａｍ）を参照することができる。これにより、ユーザの端末外観の要求を満たし、かつ、ユーザの視覚体験を改善している）。本発明に係るこの実施例は、端末のハウジングの色について制限を課すものではないことに留意する。端末のハウジングが別の色である場合、本発明に係るこの実施例において提供される端末のディスプレイスクリーン１２がオフであるときに、ディスプレイスクリーン１２の外観色は、従来技術において、オフであるディスプレイスクリーン１２の外観色とは異なっており、それによって、また、ユーザの視覚体験も改善している。
【００３７】
図９は、液晶調光フィルム１４とタッチスクリーン１１との間の位置関係の一つの例だけを示していることに留意する。本発明に係るこの実施例における技術的ソリューションは、上記の図４から図７に示される端末構造のいずれかである、液晶調光フィルム１４とタッチスクリーン１１の位置に対して適用することができる。
【００３８】
本発明に係るこの実施例において提供される色が可変な端末に従って、タッチスクリーンと一致している液晶調光フィルムが、タッチスクリーンの上に配置されており、そして、ディスプレイスクリーンと一致している第１領域が、液晶調光フィルムに係るＩＴＯ膜レイヤの上にエッチングされる。ディスプレイスクリーンがオフであることを検知すると、中央処理装置は、第１領域に対して、大きさが既定の閾値より小さいコントロール電圧を適用するように第１駆動回路をコントロールして、第１領域を不透明状態にすることができる。従って、ディスプレイスクリーンがオフであるとき、ディスプレイスクリーンの外観色は、従来技術において、オフであるディスプレイスクリーンの外観色とは異なっており、それによって、ユーザの端末外観の要件を満たし、かつ、ユーザの視覚体験を改善している。
【００３９】
図１１は、本発明の別の実施例に従った、色が可変な端末の概略構成図である。上記の実施例に基づいて、さらにまた、図１１に示されるように、上記の端末は、さらに、前面（ｆｒｏｎｔ−ｆａｃｉｎｇ）カメラ１７を含んでよく、ここで、前面カメラ１７は回路基板１３の上に配置されている。上記の駆動回路１５は、さらに、第２駆動回路１５２を含んでよい。詳細については、図１１を参照することができる。液晶調光フィルム１４は、さらに、第２領域１４２を含み、ここで、第２領域１４２は、前面カメラ１７と一致する。第２駆動回路１５２は、第２領域１４２に対してコントロール電圧を適用するように構成されている。中央処理装置１６は、さらに、ディスプレイスクリーン１２がオンであることが検知された後で、前面カメラ１７を電源オンにするために使用されるインストラクションを受け取り、かつ、第２領域１４２に対して、大きさが既定の閾値以上であるコントロール電圧を適用するために、第２駆動回路１５２をコントロールする、ように構成されている。ここで、大きさが既定の閾値以上であるコントロール電圧は、第２領域１４２を透明状態にすることができる。中央処理装置１６は、さらに、前面カメラ１７を電源オンにするために使用されるインストラクションが検知されないとき、第２領域１４２に対して、大きさが既定の閾値より小さいコントロール電圧を適用するように第２駆動回路１５２をコントロールする、ように構成されている。ここで、大きさが既定の閾値より小さいコントロール電圧は、第２領域１４２を不透明状態にすることができる。
【００４０】
特定的には、図１１に示されるように、上記の駆動回路１５は、さらに、第２駆動回路１５２を含んでよく、第１領域１４１に加えて、上記の液晶調光フィルム１４は、さらに、第２領域１４２を含んでよく、ここで、第２領域１４２は、前面カメラ１７と一致している。第２領域１４２は、エッチングプロセスを使用することによって実現されてよい。つまり、前面カメラ１７と一致しているＩＴＯパターンが、上記の液晶調光フィルム１４の上のＩＴＯ膜２３に係る２つのレイヤの上にエッチングされ、そして、ＩＴＯパターンは、第２領域１４２である。膜の内側表面におけるＩＴＯ膜２３の上で、第１領域１４１と第２領域１４２を除いて、別の部分の上にはインク層がコーティングされている。図１に示される白色の携帯電話について、インクの色は白色である。
【００４１】
ディスプレイスクリーン１２がオンであることを検知した後で、中央処理装置１６は、前面カメラ１７を電源オンにするために使用され、かつ、端末から送付されるインストラクションを受け取る。任意的に、中央処理装置１６は、中央処理装置１６のピン電圧（ｐｉｎ  ｖｏｌｔａｇｅ）のレベル値が変化するか否かを検出することによって、前面カメラ１７を電源オンにするために使用されるインストラクションが受信されたか否かを判断することができる。前面カメラ１７を電源オンするために使用されるインストラクションを受け取ると、中央処理装置１６は、第２領域１４２に対して、大きさが既定の閾値以上であるコントロール電圧を適用するように第２駆動回路１５２をコントロールする。ここで、大きさが既定の閾値以上であるコントロール電圧は、第２領域１４２を透明状態にすることができる。この場合、端末の外観は、使用中の既存の端末の外観と同じである。
【００４２】
前面カメラ１７を電源オンするため使用されるインストラクションが検知されないとき、中央処理装置１６は、第２領域１４２に対して、大きさが既定の閾値より小さいコントロール電圧を適用するように上記の第２駆動回路１５２をコントロールする。ここで、大きさが既定の閾値より小さいコントロール電圧は、第２領域１４２を不透明状態にすることができる。任意的に、第２領域１４２が不透明状態にあるとき、第２領域１４２の外観色は白色であってよい。従って、図１に示される白色の携帯電話が一つの例として使用される場合、透明領域は、前面カメラ１７とは反対であり、かつ、タッチスクリーン１１の上である位置に配置されている。従来技術において、前面カメラ１７がオフであるとき、ユーザの視点から見ると、透明領域の外観色は黒色である。しかしながら、本発明に係るこの実施例において、第２領域１４２は、実際には透明領域の位置とは反対であり、そして、第２領域１４２と透明領域は、同じ形状かつ同じ大きさである。従って、第２領域１４２が不透明状態にあるとき、ユーザの視点から見ると、透明領域の外観色は白色である。さらにまた、白色の携帯電話の前面カメラ１７がオフであり、かつ、ディスプレイスクリーン１２がオフであるとき、端末の前面ハウジング全体の外観色は白色であり（詳細については、図１２に示される端末に係る白色外観効果図を参照することができる）、それによって、ユーザの端末の外観要求を満たし、かつ、ユーザの視覚体験を改善している。本発明に係るこの実施例は、端末のハウジングの色について制限を課すものではないことに留意する。端末のハウジングが別の色である場合、本発明に係るこの実施例において提供される端末の前面カメラ１７がオフであるとき、前面カメラ１７とは反対であり、かつ、タッチスクリーン１１の上である透明領域の外観色は、従来技術において、前面カメラ１７がオフであるときの透明領域の色とは異なっており、それによって、また、ユーザの視覚体験も改善している。
【００４３】
図１１は、液晶調光フィルタ１４とタッチスクリーン１１との間の位置関係に係る一つの例を示すだけのものであることに留意する。本発明に係るこの実施例における技術的ソリューションは、上記の図４から図７に示されるいずれかの端末構造の中にある液晶調光フィルム１４とタッチスクリーン１１に対して適用可能である。
【００４４】
本発明に係るこの実施例において提供される色が可変な端末に従って、タッチスクリーンと一致している液晶調光フィルムは、タッチスクリーンの上に配置されており、そして、前面カメラと一致している第２領域は、液晶調光フィルムのＩＴＯ膜レイヤの上にエッチングされている。前面カメラを電源オンにするために使用されるインストラクションが検知されないとき、中央処理装置は、第２領域に対して、大きさが既定の閾値より小さいコントロール電圧を適用するように第２駆動回路をコントロールし、第２領域を不透明状態にすることができる。従って、端末の前面カメラがオフであるとき、前面カメラとは反対であり、かつ、タッチスクリーンの上である透明領域の外観色は、従来技術において、前面カメラがオフであるときの透明領域の色とは異なっており、それによって、ユーザの端末の外観要求を満たし、かつ、ユーザの視覚体験を改善している。
【００４５】
図１３は、本発明の別の実施例に従った、色が可変な端末の別の白色外観効果図である。上記の実施例に基づいて、さらにまた、図１３に示されるように、上記の端末は、さらに、光センサ１８を含んでよく、ここで、光センサ１８は回路基板１３の上に配置されている。駆動回路１５は、さらに、第３駆動回路１５３を含み、そして、液晶調光フィルム１４は、さらに、第３領域１４３を含み、ここで、第３領域１４３は、光センサ１８と一致しており、かつ、第３駆動回路１５３は、第３領域１４３に対してコントロール電圧を適用するように構成されている。中央処理装置１６は、さらに、ディスプレイスクリーン１２がオンであることが検知された後で、光センサ１８を電源オンにするために使用されるインストラクションを受け取り、かつ、第３領域１４３に対して、大きさが既定の閾値以上であるコントロール電圧を適用するために、第３駆動回路１５３をコントロールする、ように構成されている。ここで、大きさが既定の閾値以上であるコントロール電圧は、第３領域１４３を透明状態にすることができる。そして、中央処理装置１６は、さらに、光センサ１８を電源オンにするために使用されるインストラクションが検知されないとき、第３領域１４３に対して、大きさが既定の閾値より小さいコントロール電圧を適用するように第３駆動回路１５３をコントロールする、ように構成されている。ここで、大きさが既定の閾値より小さいコントロール電圧は、第３領域１４３を不透明状態にすることができる。
【００４６】
特定的には、図１３に示されるように、上記の駆動回路１５は、さらに、第３駆動回路１５３を含んでよく、第１領域１４１および第２領域１４２に加えて、上記の液晶調光フィルム１４は、さらに、第３領域１４３を含んでよく、ここで、第３領域１４３は、光センサ１８と一致している。第３領域１４３は、エッチングプロセスを使用することによって実現されてよい。つまり、光センサ１８と一致しているＩＴＯパターンが、上記の液晶調光フィルム１４の上のＩＴＯ膜２３に係る２つのレイヤの上にエッチングされ、そして、ＩＴＯパターンは、第３領域１４３である。膜の内側表面におけるＩＴＯ膜２３の上で、第１領域１４１、第２領域１４２、および第３領域１４３を除いて、別の部分の上にはインク層がコーティングされている。図１に示される白色の携帯電話について、インクの色は白色である。
【００４７】
ディスプレイスクリーン１２がオンであることを検知した後で、中央処理装置１６は、光センサ１８を電源オンにするために使用され、かつ、端末から送付されるインストラクションを受け取る。任意的に、中央処理装置１６は、中央処理装置１６のピン電圧のレベル値が変化するか否かを検出することによって、光センサ１８を電源オンにするために使用されるインストラクションが受信されたか否かを判断することができる。光センサ１８を電源オンするために使用されるインストラクションを受け取ると、中央処理装置１６は、第３領域１４３に対して、大きさが既定の閾値以上であるコントロール電圧を適用するように上記の第３駆動回路１５３をコントロールする。ここで、大きさが既定の閾値以上であるコントロール電圧は、第３領域１４３を透明状態にすることができる。この場合、端末の外観は、使用中の既存の端末の外観と同じである。
【００４８】
光センサ１８を電源オンするため使用されるインストラクションが検知されないとき、中央処理装置１６は、第３領域１４３に対して、大きさが既定の閾値より小さいコントロール電圧を適用するように上記の第３駆動回路１５３をコントロールする。ここで、大きさが既定の閾値より小さいコントロール電圧は、第３領域１４３を不透明状態にすることができる。任意的に、第３領域１４３が不透明状態にあるとき、第３領域１４３の外観色は白色であってよい。従って、図１に示される白色の携帯電話が一つの例として使用される場合、透明領域は、光センサ１８とは反対であり、かつ、タッチスクリーン１１の上である位置に配置されている。従来技術において、光センサ１８がオフであるとき、ユーザの視点から見ると、透明領域の外観色は黒色である。しかしながら、本発明に係るこの実施例において、第３領域１４３は、実際には透明領域の位置とは反対であり、そして、第３領域１４３と透明領域は、同じ形状かつ同じ大きさである。従って、第３領域１４３が不透明状態にあるとき、ユーザの視点から見ると、透明領域の外観色は白色である。さらにまた、白色の携帯電話の光センサ１８と前面カメラ１７の両方がオフであり、かつ、ディスプレイスクリーン１２がオフであるとき、端末の前面ハウジング全体の外観色は白色であり（詳細については、図１４に示される端末に係る白色外観効果図を参照することができる）、それによって、ユーザの端末の外観要求を満たし、かつ、ユーザの視覚体験を改善している。本発明に係るこの実施例は、端末のハウジングの色について制限を課すものではないことに留意する。端末のハウジングが別の色である場合、本発明に係るこの実施例において提供される端末の光センサ１８がオフであるとき、光センサ１８とは反対であり、かつ、タッチスクリーン１１の上である透明領域の外観色は、従来技術において、光センサ１８がオフであるときの透明領域の色とは異なっており、それによって、また、ユーザの視覚体験も改善している。
【００４９】
図１３は、液晶調光フィルタ１４とタッチスクリーン１１との間の位置関係に係る一つの例を示すだけのものであることに留意する。本発明に係るこの実施例における技術的ソリューションは、上記の図４から図７に示されるいずれかの端末構造の中にある液晶調光フィルム１４とタッチスクリーン１１に対して適用可能である。加えて、ディスプレイスクリーン１２、前面カメラ１７、および光センサ１８を含む、図１３に示される端末は、一つの実施例に過ぎない。端末がディスプレイスクリーン１２と光センサ１８だけを含む構成は示されていないが、実装原理は図１３示された実施例のものと同様であり、そして、ここでは詳細な説明はなされない。
【００５０】
本発明に係るこの実施例において提供される色が可変な端末に従って、タッチスクリーンと一致している液晶調光フィルムは、タッチスクリーンの上に配置されており、そして、光センサと一致している第３領域は、液晶調光フィルムのＩＴＯ膜レイヤの上にエッチングされている。光センサを電源オンにするために使用されるインストラクションが検知されないとき、中央処理装置は、第３領域に対して、大きさが既定の閾値より小さいコントロール電圧を適用するように第３駆動回路をコントロールし、第３領域を不透明状態にすることができる。従って、端末の光センサがオフであるとき、光センサとは反対であり、かつ、タッチスクリーンの上である透明領域の外観色は、従来技術において、光センサがオフであるときの透明領域の色とは異なっており、それによって、ユーザの端末の外観要求を満たし、かつ、ユーザの視覚体験を改善している。
【００５１】
図１５は、本発明の別の実施例に従った、色が可変な端末の別の白色外観効果図である。図１から図７に示された上記の実施例に基づいて、さらにまた、上記の端末は、さらに、ディスプレイスクリーン１２を電源オンまたは電源オフするために使用されるコントロール信号を生成するために、ユーザ入力を受け取るように構成されている、スイッチ１９を含んでよい。回路基板１３は、さらに、スイッチ１９によって生成されたコントロール信号に応じて、電源オンまたは電源オフするためにディスプレイスクリーン１２をコントロールするように構成された、第４駆動回路１５４を含む。ここで、第４駆動回路１５４は、スイッチ１９に対して電気的に接続されている。スイッチ１９が、ディスプレイスクリーン１２を電源オンするようにコントロールするためのコントロール信号を生成する場合に、第４駆動回路１５４は、液晶調光フィルム１４に対して、大きさが既定の閾値以上であるコントロール電圧を適用する。そして、スイッチ１９が、ディスプレイスクリーン１２を電源オフするようにコントロールするためのコントロール信号を生成する場合に、第４駆動回路１５４は、液晶調光フィルム１４に対して、大きさが既定の閾値より小さいコントロール電圧を適用する。
【００５２】
特定的に、ユーザ入力を受け取ると、端末の上に配置されたスイッチ１９は、ディスプレイスクリーン１２を電源オンまたは電源オフするようにコントロールするためのコントロール信号を生成し、そして、第４駆動回路１５４に対してコントロール信号を送信する。制御信号を受信すると、第４駆動回路１５４は、ディスプレイスクリーン１２を電源オンまたは電源オフするようにコントロールする。
【００５３】
コントロール信号がディスプレイスクリーン１２を電源オンするために使用されるとき、第４駆動回路１５４は、液晶調光フィルム１４に対して、大きさが既定の閾値以上であるコントロール電圧を適用する。従って、タッチスクリーン１１の上の液晶調光フィルム１４は透明状態にある。この場合、端末の外観は、使用中の既存の端末の外観と同じである。
【００５４】
ディスプレイスクリーン１２を電源オフするためにコントロール信号が使用されるときに、第４駆動回路１５４は、液晶調光フィルム１４に対して、大きさが既定の閾値より小さいコントロール電圧を適用する。従って、液晶調光フィルム１４は、不透明状態にあり、不透明状態における液晶調光フィルム１４の色は、ディスプレイスクリーン１２の色とは異なっており、そして、任意的に、液晶調光フィルム１４が不透明状態にあるとき、液晶調光フィルム１４の外観色は白色である。従って、図１に示される白色の携帯電話が一つの例として使用される場合、液晶調光フィルム１４が不透明状態にあるとき、タッチスクリーン１１の外観色は白色である。タッチスクリーン１１がディスプレイスクリーン１２の上に配置されているので、ユーザの視点から見ると、ディスプレイスクリーン１２の外観色は白色である。つまり、白色の携帯電話のディスプレイスクリーン１２がオフのとき、端末のフロントハウジング全体の外観色は白色であり、これによって、ユーザの端末の外観要求を満たし、かつ、ユーザの視覚体験を改善している。本発明に係るこの実施例は、端末のハウジングの色に制限を課すものではないことに留意する。端末のハウジングが別の色である場合、本発明に係るこの実施例において提供される端末のディスプレイスクリーン１２がオフであるとき、ディスプレイスクリーン１２の外観色は、従来技術において、オフであるディスプレイスクリーン１２の外観色とは異なっており、それによっても、また、ユーザの視覚体験を改善している。
【００５５】
図１５は、液晶調光フィルタ１４とタッチスクリーン１１との間の位置関係に係る一つの例を示すだけのものであることに留意する。本発明に係るこの実施例における技術的ソリューションは、上記の図４から図７に示されるいずれかの端末構造の中にある液晶調光フィルム１４とタッチスクリーン１１に対して適用可能である。
【００５６】
本発明に係るこの実施例において提供される色が可変な端末に従って、ディスプレイスクリーンを電源オンまたは電源オフするようにコントロールするために使用されるスイッチが、端末の上に配置されており、かつ、スイッチは、第４駆動回路に対して電気的に接続されている。ディスプレイを電源オフするようにコントロールするために使用される上記のスイッチによってコントロール信号が生成されると、第４駆動回路は、液晶調光フィルムに対して、液晶調光フィルムが不透明状態にあるように、既定の閾値より小さいコントロール電圧を適用する。従って、端末のディスプレイスクリーンがオフであるとき、ディスプレイスクリーンの外観色は、従来技術において、オフであるディスプレイスクリーンの色とは異なっており、それによって、ユーザの端末の外観要求を満たし、かつ、ユーザの視覚体験を改善している。
【００５７】
図１６は、本発明の別の実施例に従った、色が可変な端末の別の白色外観効果図である。図１６に示されるように、端末は、ハウジング３０であり、ハウジング３０の一部または全部が透明であるもの、回路基板１３であり、回路基板１３がハウジング３０の内部に配置されており、かつ、回路基板１３が駆動回路１５を含むもの、液晶調光フィルム１４であり、液晶調光フィルム１４がハウジング３０の内部に配置され、かつ、ハウジング３０の透明領域をカバーするもの、および、コーティング３１であり、コーティング３１がハウジング３０の内部に配置され、かつ、コーティング３１とハウジング３０の透明領域が液晶調光フィルム１４の両側においてそれぞれに配置されているもの、を含む。駆動回路１５は、液晶調光フィルム１４に対してコントロール電圧を適用するように構成されており、コントロール電圧の大きさが既定の閾値以上であるとき、液晶調光フィルム１４は透明状態にあり、もしくは、コントロール電圧の大きさが既定の閾値より小さいとき、液晶調光フィルム１４は不透明状態にある。そして、不透明状態における液晶調光フィルム１４の色とコーティング３１の色とは異なるものである。
【００５８】
特定的には、本発明に係るこの実施例における端末のハウジング３０は、全体が透明または部分的に透明であり、そして、ハウジング３０は、端末のリアハウジングまたは端末の本体の４つの側面を取り囲んでいるハウジングであってよい。液晶調光フィルム１４は、ハウジング３０の内部に配置されており、そして、液晶調光フィルム１４の構造については、図３に示される構造を参照することができる。液晶調光フィルム１４は、ハウジング３０の透明領域をカバーし、コーティング３１は、さらに、ハウジング３０の内部に配置されており、そして、コーティング３１とハウジング３０の透明領域３１は、液晶調光フィルム１４の両側においてそれぞれに配置されている。図１６に示される座標系に従って、液晶調光フィルム１４は、ハウジング３０の左側に配置され、そして、コーティング３１は液晶調光フィルム１４の左側に配置されている。
【００５９】
上記の回路基板１３における駆動回路１５は、液晶調光フィルム１４に対してコントロール電圧を適用するために使用される。任意的に、駆動回路１５は、端末の実際の動作状態に応じて  液晶調光フィルム１４に対して適用すべき電圧を決定し得る。例えば、駆動回路１５は、端末の内部で生成されたスイッチング信号に応じて、液晶調光フィルム１４に対して適用すべきコントロール電圧の値を決定し得るし、または、端末のプロセッサからのインストラクションに応じて、液晶調光フィルム１４に対して適用すべきコントロール電圧の値を決定し得る。もしくは、駆動回路１５は、回路におけるデバイスのレベルを検知することによってコントロール電圧の値を決定し得る。任意的に、コントロール電圧は、直流電圧であってよく、または、交流電圧であってもよい。
【００６０】
駆動回路が、液晶調光フィルム１４に対して、大きさが既定の閾値以上であるコントロール電圧を適用するときに（実際には、駆動回路は、液晶調光フィルム１４のＩＴＯ膜２３に係る２つのレイヤに対してコントロール電圧を適用する）。液晶調光フィルム１４のものであり、かつ、図３に示される構造に従って、ＩＴＯ膜２３に係る上側および下側レイヤに対して適用されるコントロール電圧の大きさが既定の閾値以上であるときは、光が通過できるように、液晶調光フィルム１４の液晶レイヤ２４における液晶分子が、コントロール電圧の電界方向に沿って規則的に配置される。従って、液晶調光フィルム１４は透明状態にあり、この場合、端子の外観色は、ハウジング３０内部のコーティング３１の外観色である。
【００６１】
駆動回路が、液晶調光フィルム１４に対して、大きさが既定の閾値より小さいコントロール電圧を、液晶調光フィルム１４のものであり、かつ、図３に示される構造に従って、適用するときに、ＩＴＯ膜２３に係る上側および下側レイヤに対して適用されるコントロール電圧の大きさが既定の閾値より小さいときは、不規則に配置された液晶分子によって光が散乱されるように、液晶調光フィルム１４の液晶レイヤ２４における液晶分子は、不規則に配置される。従って、液晶調光フィルム１４は不透明状態にあり、そして、不透明状態における液晶調光フィルム１４の色は、コーティング３１の色とは異なるものである。任意的に、不透明状態における液晶調光フィルム１４の外観色は白色であり、つまり、端末のハウジング３０全体の透明領域の外観色が白色である。すなわち、本発明に係るこの実施例において提供される端末に従って、端末のハウジング３０の色は、コーティング３１の色と白色との間でいつでも変化し得るものであり、それによって、ユーザの端末の外観要求を満たし、かつ、ユーザの視覚体験を改善している。
【００６２】
本発明に係るこの実施例において提供される色が可変な端子に従って、液晶調光フィルムが端末のハウジングの内部に配置され、そして、液晶調光フィルムはコーティングとハウジングとの間に配置されている。駆動回路は、液晶調光フィルムに対してコントロール電圧を適用し、そして、適用されたコントロール電圧の大きさが既定の閾値以上であるとき、液晶調光フィルムは透明状態にある。または、適用されたコントロール電圧の大きさが既定の閾値より小さいとき、液晶調光フィルムは不透明状態にある。従って、端末のハウジングの色はいつでも変化し得るものであり、それによって、ユーザの端末の外観要求を満たし、かつ、ユーザの視覚体験を改善している。
【００６３】
図１７は、別の実施例に従った、色が可変な端末の概略構成図である。図１６に示される実施例に基づいて、端末は、さらに、ディスプレイスクリーン１２を含んでよく、そして、上記の回路基板１３は、さらに、中央処理装置１６を含んでいる。
【００６４】
本発明に係るこの実施例の可能な実施方法として、端末は、中央処理装置１６を使用して、ディスプレイスクリーン１２のオン／オフ状態を検出し、そして、駆動回路によって、液晶調光フィルム１４に対して、適用されるコントロール電圧の値を決定することができる。ディスプレイスクリーン１２がオフであることを中央処理装置１６が検知するとき、中央処理装置１６は、液晶調光フィルム１４に対して、大きさが既定の閾値より小さいコントロール電圧を適用するように、駆動回路１５をコントロールする。ここで、大きさが既定の閾値より小さいコントロール電圧は、液晶調光フィルム１４を不透明状態にすることができる。ディスプレイスクリーン１２がオンであることを中央処理装置１６が検知するとき、中央処理装置１６は、液晶調光フィルム１４に対して、大きさが既定の閾値以上であるコントロール電圧を適用するように、駆動回路１５をコントロールする。ここで、大きさが既定の閾値以上であるコントロール電圧は、液晶調光フィルム１４を透明状態にすることができる。
【００６５】
本発明に係るこの実施例の別の可能な実施方法として、端末における中央処理装置１６は、また、受け取ったユーザの入力インストラクションに従って、液晶調光フィルム１４に対してコントロール電圧を適用するように、上記の駆動回路１５をコントロールしてもよい。
【００６６】
本発明に係るこの実施例において提供される色が可変な端子に従って、液晶調光フィルムが端末のハウジングの内部に配置され、そして、液晶調光フィルムはコーティングとハウジングとの間に配置されている。駆動回路は、中央処理装置のコントロールの下で、液晶調光フィルムに対してコントロール電圧を適用し、そして、適用されたコントロール電圧の大きさが既定の閾値以上であるとき、液晶調光フィルムは透明状態にある。または、適用されたコントロール電圧の大きさが既定の閾値より小さいとき、液晶調光フィルムは不透明状態にある。従って、端末のハウジングの色はいつでも変化し得るものであり、それによって、ユーザの端末の外観要求を満たし、かつ、ユーザの視覚体験を改善している。
【００６７】
当業者であれば、方法の実施例に係る全てまたは一部のステップが、関連するハードウェアをインストラクションするプログラムによって実施され得ることが理解されよう。プログラムは、コンピュータで読取り可能なストレージ媒体に保管されてよい。プログラムが実行されるとき、方法の実施例に係るステップが実行される。上記の記憶媒体には、ＲＯＭ、ＲＡＭ、磁気ディスク、または光ディスクといった、プログラムコードを保管することができるあらゆる媒体を含んでいる。
【００６８】
最後に、上記の実施例は、単に本発明の技術的ソリューションを説明することを意図するものであり、本発明を限定するものではないことに留意すべきである。本発明は、上記の実施例に関して詳細に説明されているが、当業者であれば、本発明の実施例に係る技術的ソリューションの範囲から逸脱することなく、上記の実施例において説明された技術的ソリューションに対する変更をさらに行い得ること、または、それらのいくつか又は全ての技術的特徴に対する均等な置き換えをなし得ることを、理解すべきである。
【図１】
0006473809.tif 000002
【図２】
0006473809.tif 000003
【図３】
0006473809.tif 000004
【図４】
0006473809.tif 000005
【図５】
0006473809.tif 000006
【図６】
0006473809.tif 000007
【図７】
0006473809.tif 000008
【図８】
0006473809.tif 000009
【図９】
0006473809.tif 000010
【図１０】
0006473809.tif 000011
【図１１】
0006473809.tif 000012
【図１２】
0006473809.tif 000013
【図１３】
0006473809.tif 000014
【図１４】
0006473809.tif 000015
【図１５】
0006473809.tif 000016
【図１６】
0006473809.tif 000017
【図１７】
0006473809.tif 000018